(57)【要約】【課題】電子チラシ広告システムを利用する会員（消費者）毎に、電子チラシに表示される内容について決済カードを通じて個々の趣向に合った広告内容に変更可能とする事で、購買意欲を掻き立てるために有効な電子広告システムを提供する。【解決手段】広告内容を消費者の趣向に合わせて表示出来る電子チラシ、購入履歴情報や購買履歴を管理できる決済カード、決済を行いかつ広告内容及び購買情報を決済カードと通信できる情報端末を備えた事を特徴とする。決済カードと電子チラシ及び情報端末との各種情報伝達手段は非接触の通信を考えるが、接触型でも構わない。消費者はチラシ広告事業者が運営する組織の会員となり、商品の決済のためにクレジッカード会社などがその協力企業となる。また決済場所としてコンビニエンスストアなどがサービス提携店として決済場所・手段を提供する事を特徴とする。【選択図】  図１
2004326377.tif 000002
【特許請求の範囲】
【請求項１】
電子広告の入った媒体が、カードの個人情報に応じて広告内容表示を変える事を特徴とした電子チラシ広告システム。
【請求項２】
電子広告の入った媒体の広告内容更新がカードを通じて行えることを特徴とした電子チラシ広告システム。
【発明の詳細な説明】
【０００１】
【発明の属する技術分野】
本発明は、電子チラシと決済カードを利用して、広告及び決済を行うための電子チラシ広告システムと方法に関するものである。
【０００２】
【従来の技術】
チラシやカタログ等の紙広告は、どの消費者にも共通の情報が発信されており、個々の消費者に対して最適な広告内容を発信しているとは言えない。一方、インターネットではアマゾン  ジャパン株式会社が運営するオンラインストアに代表されるように、過去の購入履歴と照らし合わせて個人の趣向に合わせたＷＥＢ画面を表示し、購買意欲を掻き立てるシステムは既に構築されている。また決済に関してもクレジットカードを利用した支払いがインターネット上では可能である。
【０００３】
【特許文献１】
なし
【０００４】
【発明が解決しようとする課題】
上記従来技術は、インターネット環境を前提としているため、チラシやカタログで販売を行う方法には対応できていない。本発明は従来消費者毎に共通に表示されていたチラシなどの広告媒体の情報を、決済カードに記録された趣向のデ−タベース情報を元に最適な広告内容に変更し購買意欲を掻き立てることと、決済までのプロセス及び決済カードにより広告内容の更新を電子チラシへ反映する事を目的とする。
【０００５】
【課題を解決するための手段】
上記目的を達成するために広告内容を消費者の趣向に合わせて表示出来る電子チラシ、購入履歴情報や購買履歴を管理できる決済カード、決済を行いかつ広告内容及び購買情報を決済カードと通信できる情報端末を備えた事を特徴とする。決済カードと電子チラシ及び情報端末との各種情報伝達手段は非接触の通信を考えるが、接触型でも構わない。消費者はチラシ広告事業者が運営する組織の会員となり、商品の決済のためにクレジッカード会社などがその協力企業となる。また決済場所としてコンビニエンスストアなどがサービス提携店として決済場所・手段を提供する事を特徴とする。
【０００６】
【発明の実施の形態】
以下、本発明の実施形態について図面を参照して説明する。図１は、本発明による電子チラシ広告システムの全体構成を表す図である。図１に示されるように電子チラシ事業者および協力企業１と会員１２とサービス提携店１５の間で実施されるシステムである。本システムを実現するため、電子チラシ事業者および協力企業１は決済カード１０と電子チラシ１１を会員１２へ配布しておく。会員１２への配布時点では決済カード１０と初期状態の電子チラシ１１であるが、会員１２の様々な操作でその状態は変化していく。便宜上、会員１２へ渡った時点で電子チラシ１３、決済カード１４と呼ぶことにする。会員１２向けの決済カード１４に蓄積された情報によって電子チラシ１３の表示内容は相応しい広告へと変わる。会員１２は電子チラシ１３に表示された内容で購入内容を確定する操作を行い、その情報は決済カード１４へ反映される。最後に購入内容について決済を行うために会員１２はサービス提携店１５へ行く必要がある。サービス提携店１５にて会員１２は情報端末１６と決済カード１７にて決済業務を行う。また決済カードに最新広告内容を情報端末１６から反映すれば電子チラシ１３に対して最新の広告内容に反映可能となる。
【０００７】
図２〜図１１は会員が購入商品を決定するまで電子チラシの画面イメージである。
【０００８】
図２は電子チラシの電源ボタン２１を押した直後の初期画面である。最初に会員は電子チラシに搭載されている電源ボタン２１を投入する。尚、商品購入を行うために電子チラシはタッチパネル２２を搭載している。尚、電子チラシと決済カードは非接触での通信機能を搭載している。
【０００９】
図３は決済カードをかざした後の会員毎に表示された画面である。この画面からタッチパネル３１で購買を行う。なお、情報が画面に収まらない場合のスクロールバー３２を利用できる。購買履歴ボタン３３を選択すると過去の購買履歴を表示し、購買予定ボタン３４を選択すると現在の購買内容が表示される。また、もどるボタン３５は前画面を表示する。
【００１０】
既に、購入実績がある場合は、表示内容が個人データ、購買履歴により個人毎に最適な情報を表示する。
【００１１】
図４は過去の購買履歴４１の表示イメージである。各画面（図３等）から購買履歴３３を選択した場合に表示される。図５はまさに今買おうとしている購買予定５１を表示している。この状態では未決済であり、購入予定の変更は可能である。また、各図では全画面表示で説明しているが、ポップアップによるサブウィンドウ表示も可能である。
【００１２】
図６は図３の商品カテゴリ３６を選択すると、会員の興味ある商品カテゴリを表示した画面で、詳細ボタン６１と購入ボタン６２を有する。詳細ボタン６１はより詳細な商品説明を表示し、購入ボタン６２は購入の意思表示をするために使用する。
【００１３】
図７は図６で該当商品の詳細ボタン６１を選択した画面である。
【００１４】
例えば商品の詳細説明７１、スペック７１を参照できる。
【００１５】
図８は図６の購入ボタン６２、図７の購入ボタン７３を選択した場合に、単価８１、税金８２、合計８３が表示される。個数選択ボタン８４を選択する事で購入個数を調整できる。
【００１６】
図９は図８で個数選択ボタン８４を選択した場合に個数を決定するための数字キー９１を表示した画面である。選択した数字は、画面上に選択文字表示部９２へ表示される。
【００１７】
図１０は図８で買物決定ボタン８５を選択した場合の表示画面で、電子チラシの選択内容を決済カードに反映するために、決済カードをかざす要求のメッセージ１０１を表示する。
【００１８】
図１１は図１０でカードをかざした後に表示されるメッセージ１１１である。この状態で決済カードに買い物情報が反映されている。会員はこの後、買い物の決済をするためサービス提携店の情報端末で決済処理を行う。
【００１９】
図１２は決済カードの構造である。決済カードは従来のクレジットカード機能を有し、本システムを実現するための付加機能として購買に関するメモリ機能を有する。メモリ内の情報１２４にはクレジット基本情報１２５以外に購買履歴情報１２１、購買予定情報１２２、電子子チラシ更新情報１２３など保持するに十分な容量を有する。また電子チラシや情報端末とのデータ転送を行うための通信機能１２４を搭載している。
【００２０】
図１３は情報端末の機能を示している。パネル表示機能１３１は情報端末への表示を行い、通信機能１３２は電子チラシと通信を行い、決済機能１３３は決済業務を行う。サービス提携店に設置された情報端末は多目的に使われる。本システムを実現する上では従来からの情報端末に機能を付加しての利用を想定しているが、新規の専用ハードウェアがあっても構わない。通信機能１３２は決済カードと双方向通信を行うことでの購買予定情報を情報端末に渡し、電子チラシへの更新内容がある場合には、情報端末から最新の広告内容情報を決済カードに自動反映し、次回電子チラシ利用時に更新される。決済機能１３３により、決済業務と購買予定情報の購買履歴情報への情報反映を行う。
【００２１】
【発明の効果】
以上、説明したように、電子チラシと決済カードを用いれば電子チラシを消費者毎のニーズに合った広告内容に表示することが出来るとゆう効果を奏する。また、電子チラシの広告内容について決済カードを経由することで定期的に更新することが可能となる。
【図面の簡単な説明】
【図１】本説明の原理に従った、電子広告システムの概念図。
【図２】電子チラシ初期画面イメージ。
【図３】電子チラシの決済カードからの情報を反映した表示イメージ。
【図４】電子チラシの購買履歴画面イメージ。
【図５】電子チラシの購買予定イメージ。
【図６】電子チラシの購入画面イメージ。
【図７】電子チラシの商品詳細情報画面イメージ。
【図８】電子チラシの商品購入決定画面イメージ。
【図９】電子チラシの商品購入個数選択画面イメージ。
【図１０】電子チラシの商品購入後の情報反映画面イメージ。
【図１１】電子チラシの商品購入後の情報反映結果画面イメージ。
【図１２】決済カード構造。
【図１３】情報端末機能図。
【符号の説明】
１…電子チラシ事業者および協力企業、１０…決済カード、１１…電子チラシ、１２…会員、１３…電子チラシ、１４…決済カード、１５…サービス提携店、１６…情報端末、１７…決済カード、２１…電源ボタン、２２…タッチパネル、３１…タッチパネル、３２…スクロールバー、３３…購買履歴ボタン、３４…購買予定ボタン、３５…もどるボタン、３６…商品カテゴリ、４１…購買履歴、５１…購買予定、６１…詳細ボタン、６２…購入ボタン、７１…詳細説明、７２…スペック、７３…購入ボタン、８１…単価、８２…税金、８３…合計、８４…説明、９１…数字キー、９２…選択文字表示部、１０１…メッセージ、１１１…メッセージ、１２１…購買履歴情報、１２２…購買予定情報、１２３…電子チラシ更新情報、１２４…メモリ内の情報、１２５…クレジット基本情報、１３１…パネル表示機能、１３２…通信機能、１３３…決済機能。
【図１】
2004326377.tif 000003
【図２】
2004326377.tif 000004
【図３】
2004326377.tif 000005
【図４】
2004326377.tif 000006
【図５】
2004326377.tif 000007
【図６】
2004326377.tif 000008
【図７】
2004326377.tif 000009
【図８】
2004326377.tif 000010
【図９】
2004326377.tif 000011
【図１０】
2004326377.tif 000012
【図１１】
2004326377.tif 000013
【図１２】
2004326377.tif 000014
【図１３】
2004326377.tif 000015